(57)【特許請求の範囲】
【請求項１】
ユーザ機器（ＵＥ）によってランダム・アクセス・チャネル（ＲＡＣＨ）手順を実施するための方法であって、
バンドルされた（bundled）ＲＡＣＨシーケンスを送信することと、ここにおいて、前記バンドルされたＲＡＣＨシーケンスは、複数の送信時間間隔（ＴＴＩｓ）のバンドルに関して送信される、
バンドルされた物理下り共有チャネル（ＰＤＳＣＨ）においてＲＡＣＨ応答を受信することと、ここにおいて、前記バンドルされたＰＤＳＣＨは、複数のＴＴＩｓのバンドルに関して送信される、を備える方法。
【請求項２】
前記受信されバンドルされたＰＤＳＣＨに基づいてバンドルされた物理上り共有チャネル（ＰＵＳＣＨ）を送信することをさらに備える、請求項１に記載の方法。
【請求項３】
前記バンドルされたＲＡＣＨシーケンスは前記ＵＥのカバレッジ制限を示す、請求項１に記載の方法。
【請求項４】
前記バンドルされたＲＡＣＨシーケンスは少なくとも１つのリソース・ブロック（ＲＢ）を備える狭帯域送信として送信され、それのロケーションはセルＩＤの関数である、請求項１に記載の方法。
【請求項５】
前記バンドルされたＲＡＣＨシーケンスはセルＩＤの関数である、請求項１に記載の方法。
【請求項６】
同期信号を受信することと、
前記同期信号に基づいて前記ＲＡＣＨ手順を実施するようにウェーク・アップすることと、をさらに備える、請求項１に記載の方法。
【請求項７】
基地局（ＢＳ）によってランダム・アクセス・チャネル（ＲＡＣＨ）手順を実施するための方法であって、
ユーザ機器（ＵＥ）からバンドルされたＲＡＣＨシーケンスを受信することと、ここにおいて、前記バンドルされたＲＡＣＨシーケンスは、複数の送信時間間隔（ＴＴＩｓ）のバンドルに関して送信される、
バンドルされた物理下り共有チャネル（ＰＤＳＣＨ）において前記ＵＥにＲＡＣＨ応答を送信することと、ここにおいて、前記バンドルされたＰＤＳＣＨは、複数のＴＴＩｓのバンドルに関して送信される、を備える方法。
【請求項８】
前記バンドルされたＰＤＳＣＨの複数のリソース・ブロック（ＲＢｓ）のロケーションは、前記ＲＡＣＨシーケンスのＲＢのロケーション、前記ＲＡＣＨシーケンス自体、前記バンドルされたＲＡＣＨシーケンスのサイズ、またはセルＩＤ、のうちの少なくとも１つにリンクされる、請求項７に記載の方法。
【請求項９】
前記バンドルされたＰＤＳＣＨのサイズは前記バンドルされたＲＡＣＨシーケンスのサイズに基づく、請求項７に記載の方法。
【請求項１０】
バンドルされた物理下り制御チャネル（ＰＤＣＣＨ）を送信することをさらに備え、ここにおいて、前記バンドルされたＰＤＣＣＨは、拡張されたＰＤＣＣＨ（ｅＰＤＣＣＨ）または複数のＴＴＩｓのバンドルに関して送信される、前記バンドルされたＰＤＣＣＨまたはｅＰＤＣＣＨは前記バンドルされたＰＤＳＣＨをスケジュールし、前記バンドルされたＰＤＣＣＨまたはｅＰＤＣＣＨのサイズは前記バンドルされたＲＡＣＨシーケンスのサイズに基づく、請求項７に記載の方法。
【請求項１１】
前記バンドルされたＰＤＳＣＨの変調および符号化スキーム（ＭＣＳ）はシステム情報ブロック（ＳＩＢ）においてシグナリングされる、請求項７に記載の方法。
【請求項１２】
前記バンドルされたＰＤＳＣＨは一組の変調および符号化スキーム（ＭＣＳ）から選択されたＭＣＳを使用して送信され、前記ＵＥはブラインド復号によって前記ＰＤＳＣＨを検出する、請求項７に記載の方法。
【請求項１３】
１つ以上の後続メッセージに関わる割当てを示す第２のバンドルされたＰＤＳＣＨを送信することをさらに備える、請求項７に記載の方法。
【請求項１４】
ユーザ機器（ＵＥ）によってランダム・アクセス・チャネル（ＲＡＣＨ）手順を実施するための装置であって、
バンドルされたＲＡＣＨシーケンスを送信するための手段と、ここにおいて、前記バンドルされたＲＡＣＨシーケンスは、複数の送信時間間隔（ＴＴＩｓ）のバンドルに関して送信される、
バンドルされた物理下り共有チャネル（ＰＤＳＣＨ）においてＲＡＣＨ応答を受信するための手段と、ここにおいて、前記バンドルされたＰＤＳＣＨは、複数のＴＴＩｓのバンドルに関して送信される、を備える装置。
【請求項１５】
基地局（ＢＳ）によってランダム・アクセス・チャネル（ＲＡＣＨ）手順を実施するための装置であって、
ユーザ機器（ＵＥ）からバンドルされたＲＡＣＨシーケンスを受信するための手段と、ここにおいて、前記バンドルされたＲＡＣＨシーケンスは、複数の送信時間間隔（ＴＴＩｓ）のバンドルに関して送信される、
バンドルされた物理下り共有チャネル（ＰＤＳＣＨ）において前記ＵＥにＲＡＣＨ応答を送信するための手段と、ここにおいて、前記バンドルされたＰＤＳＣＨは、複数のＴＴＩｓのバンドルに関して送信される、を備える装置。
【発明の詳細な説明】
【関連出願の相互参照】
【０００１】
[0001]  本特許出願は、２０１３年４月１７日に出願された米国仮特許出願第６１／８１３，００２に基づく優先権を主張し、それは、本願の承継人に譲渡され、参照することによりその全体がここに明白に含まれる。
【技術分野】
【０００２】
[0002]  本開示のある観点は、一般に、ワイヤレス通信に関わり、より具体的には、マシン型通信（ＭＴＣ：machine-type communication）に関わるコントロール・レス・オペレーションのための技術に関わる。
【背景技術】
【０００３】
[0003]  ワイヤレス通信システムは、音声、データなどのさまざまなタイプの通信コンテンツを提供するために広く展開されている。これらシステムは、（例えば、帯域幅および送信パワーのような）利用可能なシステム・リソースを共有することによって複数の（multiple）ユーザとの通信をサポートすることが可能である多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、第３世代パートナシップ・プロジェクト（３ＧＰＰ）ロング・ターム・エボルーション（ＬＴＥ）／ＬＴＥアドバンスド（ＬＴＥ−Ａ）システム、および直交周波数分割多元接続（ＯＦＤＭＡ）システムを含む。
【０００４】
[0004]  一般に、ワイヤレス多元接続通信システムは、複数のワイヤレス端末に関わる通信を同時にサポートすることができる。各端末は、順方向および逆方向リンクにおける送信を介して、１つ以上の基地局と通信する。順方向リンク（またはダウンリンク）は、基地局から端末への通信リンクを指し、逆方向リンク（またはアップリンク）は、端末から基地局への通信リンクを指す。この通信リンクは、単入力単出力、多入力単出力、または多入力多出力（ＭＩＭＯ）システムによって確立され得る。
【０００５】
[0005]  ワイヤレス通信ネットワークは、複数のワイヤレス・デバイスに関わる通信をサポートすることができる複数の基地局を含み得る。ワイヤレス・デバイスは、複数のユーザ機器（ＵＥｓ）および複数のリモート・デバイスを備える。ＵＥは、人による直接制御の下で動作するデバイスであり得る。ＵＥのいくつかの例は、セルラー電話、スマートフォン、携帯情報端末（ＰＤＡ）、ワイヤレス・モデム、携帯用デバイス（handheld device）、タブレット、ラップトップ・コンピュータ、ネットブック、スマートブック、ウルトラブック、などを含む。リモート・デバイスは、人によって直接的に制御されないで動作するデバイスであり得る。リモート・デバイスのいくつかの例は、センサ、メータ、モニタ、ロケーション・タグ、などを含む。リモート・デバイスは、基地局、別のリモート・デバイス、またはいくつかの他のエンティティと通信し得る。マシン型通信（ＭＴＣ）は、通信の少なくとも１つの終端に少なくとも１つのリモート・デバイスを含む通信を指す。
【発明の概要】
【０００６】
[0006]  本開示のある観点は、ユーザ機器（ＵＥ）による、ワイヤレス通信のための方法を提供する。方法は、一般に、バンドルされたランダム・アクセス・チャネル（ＲＡＣＨ）シーケンスを送信することと、バンドルされた物理下り共有チャネル（ＰＤＳＣＨ）においてＲＡＣＨ応答を受信することと、を含む。本開示のある観点は、バンドルされたＲＡＣＨシーケンスを送信し、バンドルされたＰＤＳＣＨにおいてＲＡＣＨ応答を受信するように構成された少なくとも１つのプロセッサと、少なくとも１つのプロセッサに結合されたメモリとを含む、ＵＥによってＲＡＣＨ手順を実施するための装置を提供する。本開示のある観点は、バンドルされたＲＡＣＨシーケンスを送信するための手段と、バンドルされたＰＤＳＣＨにおいてＲＡＣＨ応答を受信するための手段とを含む、ＵＥによってＲＡＣＨ手順を実施するための装置を提供する。本開示のある観点は、バンドルされたＲＡＣＨシーケンスを送信することと、バンドルされたＰＤＳＣＨにおいてＲＡＣＨ応答を受信することとに関わる記憶された命令を有するコンピュータ可読媒体を含む、ＵＥによるワイヤレス通信のためのプログラム製品を提供する。
【０００７】
[0007]  本開示のある観点は、基地局（ＢＳ）による、ワイヤレス通信のための方法を提供する。方法は、一般に、ＵＥから、バンドルされたランダム・アクセス・チャネル（ＲＡＣＨ）シーケンスを受信することと、ＵＥに、バンドルされた物理下り共用チャネル（ＰＤＳＣＨ）においてＲＡＣＨ応答を送信することとを含む。本開示のある観点は、ユーザ機器（ＵＥ）からバンドルされたＲＡＣＨシーケンスを受信し、バンドルされたＰＤＳＣＨにおいてＵＥにＲＡＣＨ応答を送信するように構成された少なくとも１つのプロセッサと、少なくとも１つのプロセッサに結合されたメモリとを含む、基地局（ＢＳ）によってランダム・アクセス・チャネル（ＲＡＣＨ）手順を実施するための装置を提供する。本開示のある観点は、ＵＥからバンドルされたＲＡＣＨシーケンスを受信するための手段と、バンドルされたＰＤＳＣＨにおいてＵＥにＲＡＣＨ応答を送信するための手段とを含む、基地局（ＢＳ）によってＲＡＣＨ手順を実施するための装置を提供する。本開示のある観点は、ＵＥから、バンドルされたＲＡＣＨシーケンスを受信することと、ＵＥに、バンドルされたＰＤＳＣＨにおいてＲＡＣＨ応答を送信することとに関わる記憶された命令を有するコンピュータ可読媒体を含む、基地局（ＢＳ）によるワイヤレス通信のためのプログラム製品を提供する。
【０００８】
[0008]  多数の他の観点が、方法、装置、システム、コンピュータ・プログラム製品、および処理システムを含めて、提供される。
【図面の簡単な説明】
【０００９】
【図１】図1は、本開示のある観点にしたがった、ワイヤレス通信ネットワークの一例を概念的に示すブロック図である。
【図２】図２は、本開示のある観点にしたがった、ワイヤレス通信ネットワークにおいてユーザ機器（ＵＥ）と通信状態にある基地局の一例を概念的に示すブロック図を示す。
【図３】図３は、本開示のある観点にしたがった、ワイヤレス通信ネットワークにおけるフレーム構造の一例を概念的に示すブロック図である。
【図４】図４は、通常のサイクリック・プレフィックス（cyclic prefix）を使用して２つの例示的なサブフレーム・フォーマットを概念的に示すブロック図である。
【図５】図５は、本開示のある観点にしたがった、例としてのコントロール・レス・ランダム・アクセス・チャネル（ＲＡＣＨ）オペレーションを示す。
【図６】図６は、本開示のある観点にしたがった、ユーザ機器（ＵＥ）による、ワイヤレス通信に関わる例としてのオペレーションを示す。
【図７】図７は、本開示のある観点にしたがった、基地局（ＢＳ）による、ワイヤレス通信に関わる例としてのオペレーションを示す。
【発明を実施するための形態】
【００１０】
[0016]  本開示の観点は、マシン型通信（ＭＴＣ）に関わるコントロール・レス・オペレーションに関連した技術を提供する。
【００１１】
[0017]  ここに説明されている技術は、ＣＤＭＡ、ＴＤＭＡ、ＦＤＭＡ、ＯＦＤＭＡ、ＳＣ−ＦＤＭＡおよび他のネットワークのようなさまざまなワイヤレス通信ネットワークのために使用され得る。用語「ネットワーク」および「システム」は、しばしば互換的に使用される。ＣＤＭＡネットワークは、ユニバーサル地上無線アクセス（ＵＴＲＡ）、ｃｄｍａ２０００などのような無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）およびＣＤＭＡの他の変形を含む。ｃｄｍａ２０００は、ＩＳ−２０００、ＩＳ−９５、およびＩＳ−８５６基準をカバーする。ＴＤＭＡネットワークは、モバイル・コミュニケーションに関わるグローバル・システム（ＧＳＭ（登録商標）： global system for mobile communications）のような無線技術を実装し得る。ＯＦＤＭＡネットワークは、進化型ＵＴＲＡ（Ｅ−ＵＴＲＡ）、ウルトラ・モバイル・ブロードバンド（ＵＭＢ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、フラッシュＯＦＤＭ（登録商標）などのような無線技術を実装し得る。ＵＴＲＡおよびＥ−ＵＴＲＡは、ユニバーサル・モバイル・テレコミュニケーション・システム（ＵＭＴＳ）の一部である。３ＧＰＰロング・ターム・エボルーション（ＬＴＥ）およびＬＴＥアドバンスド（ＬＴＥ−Ａ）は、周波数分割複信（ＦＤＤ）および時分割複信（ＴＤＤ）の両方において、Ｅ−ＵＴＲＡを使用するＵＭＴＳの新しいリリースであり、それは、ダウンリンクではＯＦＤＭＡを、アップリンクではＳＣ−ＦＤＭＡを用いる。ＵＴＲＡ、Ｅ−ＵＴＲＡ、ＵＭＴＳ、ＬＴＥ、ＬＴＥ−Ａ、およびＧＳＭは、「第３世代パートナシップ・プロジェクト」（３ＧＰＰ）と称する機関からの文書において説明されている。ｃｄｍａ２０００およびＵＭＢは、「第３世代パートナシップ・プロジェクト２」（３ＧＰＰ２）と称する機関からの文書において説明されている。ここに説明されている技術は、上述の無線技術およびワイヤレス・ネットワークのみならず、他のワイヤレス・ネットワークおよび無線技術のために使用され得る。明確性のために、技術のある観点は、ＬＴＥ／ＬＴＥアドバンスドに関して以下に説明され、ＬＴＥ／ＬＴＥアドバンスドの専門用語は、以下の説明の大半において使用される。ＬＴＥおよびＬＴＥ−Ａは、ＬＴＥと一般に称される。
【００１２】
[0018]  図１は、ワイヤレス通信ネットワーク１００を示し、それは、ＬＴＥネットワークまたはいくつかの他のワイヤレス・ネットワークであり得る。ワイヤレス・ネットワーク１００は、複数の進化型ノードＢ（ｅＮＢｓ）１１０および他のネットワーク・エンティティを含み得る。ｅＮＢは、複数のユーザ機器（ＵＥ）と通信するエンティティであり、基地局、ノードＢ、eノードＢ、アクセス・ポイントなどとも称され得る。各ｅＮＢは、特定の地理的領域に関わる通信カバレッジを提供し得る。３ＧＰＰにおいて、用語「セル（cell）」は、その用語が使用されるコンテキストに応じて、ｅＮＢのカバレッジ・エリア、および／またはこのカバレッジ・エリアを供給するｅＮＢサブシステムを指すことができる。
【００１３】
[0019]  ｅＮＢは、マクロ・セル、ピコ・セル、フェムト・セル、および／または他のタイプのセルに関わる通信カバレッジを提供し得る。マクロ・セルは、（例えば、半径数キロメートルの）比較的大きな地理的領域をカバーし得、サービス・サブスクリプションを有する複数のＵＥによる無制限のアクセスを許可し得る。ピコ・セルは、比較的小さい地理的領域をカバーし得、サービス・サブスクリプションを有する複数のＵＥによる無制限のアクセスを許可し得る。フェムト・セルは、比較的小さい地理的領域（例えば住宅（home））をカバーし得、フェムト・セルとの関連づけを有する複数のＵＥ（例えばクローズド・サブスクライバ・グループ（ＣＳＧ）における複数のＵＥ）による制限されたアクセスを許可し得る。マクロ・セルに関わるｅＮＢは、マクロｅＮＢと称され得る。ピコ・セルに関わるｅＮＢは、ピコｅＮＢと称され得る。フェムト・セルに関わるｅＮＢは、フェムトｅＮＢまたはホームｅＮＢ（ＨｅＮＢ）と称され得る。図１に示されている例では、ｅＮＢ１１０aは、マクロ・セル１０２ａに関わるマクロｅＮＢであり得、ｅＮＢ１１０ｂは、ピコ・セル１０２ｂに関わるピコｅＮＢであり得、ｅＮＢ１１０ｃは、フェムト・セル１０２ｃに関わるフェムトｅＮＢであり得る。ｅＮＢは、１つまたは複数の（例えば３つの）セルをサポートし得る。「ｅＮＢ」、「基地局」および「セル」という用語は、ここでは互換的に使用され得る。
【００１４】
[0020]  ワイヤレス・ネットワーク１００はまた、複数の中継局を含み得る。中継局は、アップストリーム局（upstream station）（例えばｅＮＢまたはＵＥ）からのデータの送信を受信し、ダウンストリーム局（downstream station）（例えばＵＥまたはｅＮＢ）にデータの送信を送ることができるエンティティである。中継局はまた、他の複数のＵＥに関わる送信を中継することができるＵＥであり得る。図１に示されている例では、中継局１１０ｄは、ｅＮＢ１１０ａとＵＥ１２０ｄとの間の通信を容易にするためにｅＮＢ１１０ａおよびＵＥ１２０ｄと通信し得る。中継局は、中継ｅＮＢ、中継基地局、中継などとも称され得る。
【００１５】
[0021]  ワイヤレス・ネットワーク１００は、例えばマクロｅＮＢ、ピコｅＮＢ、フェムトｅＮＢ、中継ｅＮＢなどの異なるタイプの複数のｅＮＢを含む異機種ネットワーク（heterogeneous network）であり得る。これらの異なるタイプのｅＮＢは、ワイヤレス・ネットワーク１００における干渉に対する異なる影響、異なるカバレッジ・エリア、および異なる送信パワー・レベルを有し得る。例えば、マクロｅＮＢは、（例えば５乃至４０ワットの）高い送信パワー・レベルを有し得、一方で、ピコｅＮＢ、フェムトｅＮＢ、および中継ｅＮＢは、（例えば０．１乃至２ワットの）より低い送信パワー・レベルを有し得る。
【００１６】
[0022]  ネットワーク制御装置１３０は、一組のｅＮＢに結合し得、これらｅＮＢに関わる制御および調整を提供し得る。ネットワーク制御装置１３０は、バックホールを介してｅＮＢと通信し得る。ｅＮＢはまた、例えば無線または有線バックホールを介して間接的に、または直接的に、互いに通信し得る。
【００１７】
[0023]  複数のＵＥ１２０（例えば１２０ａ、１２０ｂ、１２０ｃ）は、ワイヤレス・ネットワーク１００にわたって分散され得、各ＵＥは、固定式または移動式であり得る。ＵＥは、アクセス端末、端末、移動局、加入者ユニット、局などとも称され得る。ＵＥは、セルラー電話、パーソナル・デジタル・アシスタント（ＰＤＡ：personal digital assistant）、ワイヤレス・モデム、ワイヤレス通信デバイス、携帯用デバイス、ラップトップ・コンピュータ、コードレス電話、ワイヤレス・ローカル・ループ（ＷＬＬ）局、タブレット、スマート・フォン、ネットブック、スマートブック、ウルトラブックなどであり得る。図１では、両方向の矢印を有する実線は、ＵＥとサービングｅＮＢとの間の所望の送信を示し、それは、ダウンリンクおよび／またはアップリンクにおいてＵＥにサーブするように指定されたｅＮＢである。両方向の矢印を有する破線は、ＵＥとｅＮＢとの間の潜在的に干渉する送信を示す。
【００１８】
[0024]  図２は、ＵＥ１２０および基地局／ｅＮＢ１１０の設計のブロック図を示し、それは、図１の複数のＵＥのうちの１つ、および複数の基地局／複数のｅＮＢのうちの１つであり得る。基地局１１０には、Ｔアンテナ２３４a乃至２３４ｔが装備され得、ＵＥ１２０には、Ｒアンテナ２５２a乃至２５２ｒが装備され得、ここでは、一般に、Ｔ≧１およびＲ≧１である。
【００１９】
[0025]  基地局１１０において、送信プロセッサ２２０は、１つ以上のＵＥに関してデータ・ソース２１２からデータを受信し、ＵＥから受信された複数のＣＱＩに基づいて各ＵＥに関して１つ以上の変調および符号化スキーム（ＭＣＳ）を選択し、ＵＥに関して選択された（複数を含む）ＭＣＳに基づいて各ＵＥに関してデータを処理（例えば符号化および変調）し、すべてのＵＥにデータ・シンボルを提供する。送信プロセッサ２２０はまた、（例えば、ＳＲＰＩなどに関わる）システム情報および制御情報（例えば、ＣＱＩ要求、グラント（grant）、上層シグナリングなど）を処理し、オーバーヘッド・シンボルおよび制御シンボルを提供し得る。プロセッサ２２０はまた、基準信号（例えば、セル固有の基準信号（ＣＲＳ））、および同期信号（例えば、プライマリ同期信号（ＰＳＳ）およびセカンダリ同期信号（ＳＳＳ））に関わる基準シンボルを生成し得る。送信（ＴＸ）多入力多出力（ＭＩＭＯ）プロセッサ２３０は、該当する場合に、データ・シンボル、制御シンボル、オーバーヘッド・シンボル、および／または基準シンボルにおいて空間処理（例えば、プリコーディング）を実施し得、Ｔ変調器（ＭＯＤ）２３２ａ乃至２３２ｔにＴ出力シンボル・ストリームを提供し得る。各変調器２３２は、出力サンプル・ストリームを取得するために、（例えばＯＦＤＭなどに関わる）それぞれの出力シンボル・ストリームを処理し得る。各変調器２３２はさらに、ダウンリンク信号を取得するために出力サンプル・ストリームを処理（例えば、アナログに変換、増幅、フィルタ、およびアップコンバート）し得る。変調器２３２ａ乃至２３２ｔからのＴダウンリンク信号は、それぞれＴアンテナ２３４a乃至２３４ｔを介して送信され得る。
【００２０】
[0026]  ＵＥ１２０では、アンテナ２５２ａ乃至２５２ｒは、基地局１１０および／または他の基地局からダウンリンク信号を受信し得、それぞれ、復調器（ＤＥＭＯＤ）２５４a乃至２５４rに受信された信号を提供し得る。各復調器２５４は、入力サンプルを取得するために、それの受信された信号を調整（例えば、フィルタ、増幅、ダウンコンバート、およびデジタル化）し得る。各復調器２５４はさらに、受信されたシンボルを取得するために、（例えばＯＦＤＭなどに関わる）入力サンプルを処理し得る。ＭＩＭＯ検出器２５６は、全てのＲ変調器２５４a乃至２５４rから受信されたシンボルを取得し、該当する場合に受信されたシンボルにおいてＭＩＭＯ検出を実施し、検出されたシンボルを提供し得る。受信プロセッサ２５８は、検出されたシンボルを処理（例えば復調および復号）し、データ・シンク２６０にＵＥ１２０に関わる復号されたデータを提供し、制御装置／プロセッサ２８０に復号された制御情報およびシステム情報を提供し得る。チャネル・プロセッサは、基準信号受信パワー（ＲＳＲＰ：reference signal received power）、基準信号強度インジケータ（ＲＳＳＩ：reference signal strength indicator）、基準信号受信品質（ＲＳＲＱ：reference signal received quality）、チャネル品質インジケータ（ＣＱＩ：channel quality indicator）などを決定し得る。
【００２１】
[0027]  アップリンクでは、ＵＥ１２０において、送信プロセッサ２６４は、データ・ソース２６２からのデータおよび制御装置／プロセッサ２８０からの（例えばＲＳＲＰ、ＲＳＳＩ、ＲＳＲＱ、ＣＱＩなどを備えるレポートに関わる）制御情報を受信および処理し得る。プロセッサ２６４はまた、１つ以上の基準信号に関わる基準シンボルを生成し得る。送信プロセッサ２６４からのシンボルは、該当する場合にＴＸ ＭＩＭＯプロセッサ２６６によってプリコーディングされ、（例えばＳＣ−ＦＤＭ、ＯＦＤＭなどに関して）変調器２５４a乃至２５４ｒによってさらに処理され、基地局１１０に送信され得る。基地局１１０において、ＵＥ１２０および他のＵＥからのアップリンク信号は、アンテナ２３４によって受信され、復調器２３２によって処理され、該当する場合にＭＩＭＯ検出器２３６によって検出され、ＵＥ１２０によって送られた、復号されたデータおよび制御情報を取得するために、受信プロセッサ２３８によってさらに処理され得る。プロセッサ２３８は、データ・シンク２３９に復号されたデータを提供し、制御装置／プロセッサ２４０に復号された制御情報を提供し得る。基地局１１０は、通信ユニット２４４を含み、通信ユニット２４４を介してネットワーク制御装置１３０に通信し得る。ネットワーク制御装置１３０は、通信ユニット２９４、制御装置／プロセッサ２９０、およびメモリ２９２を含み得る。
【００２２】
［0028］  制御装置／プロセッサ２４０および２８０は、それぞれ、基地局１１０およびＵＥ１２０においてオペレーションを指揮し得る。基地局１１０における複数のモジュールおよびプロセッサ２４０および／または他のプロセッサ、および／または、ＵＥ１２０における複数のモジュールおよびプロセッサ２８０および／または他のプロセッサは、ここに説明される技術に関わる処理を実施または指揮し得る。メモリ２４２および２８２は、それぞれ、基地局１１０およびＵＥ１２０に関わるプログラム・コードおよびデータを記憶し得る。スケジューラ２４６は、ダウンリンクおよび／またはアップリンクにおいてデータ送信のために複数のＵＥをスケジュールし得る。
【００２３】
［0029］  ＵＥ１２０にデータを送信するとき、基地局１１０は、データ割当てサイズ（data allocation size）に少なくとも部分的に基づいてバンドリング・サイズを決定し、決定されたバンドリング・サイズのバンドルされた連続リソース・ブロックにおいてデータをプリコーディングするように構成され得、ここにおいて、各バンドルにおけるリソース・ブロックは、共通のプリコーディング・マトリックス（common precoding matrix）でプリコーディングされ得る。すなわち、ＵＥ固有の基準信号（ＵＥ−ＲＳ）のような基準信号および／またはリソース・ブロックにおけるデータは、同じプリコーダを使用してプリコーディングされ得る。バンドルされたＲＢの各ＲＢ（リソース・ブロック）においてＵＥ−ＲＳのために使用されるパワー・レベルはまた、同じであり得る。
【００２４】
［0030］  ＵＥ１２０は、基地局１１０から送信されたデータを復号するために、一次的な処理を実施するように構成され得る。例えば、ＵＥ１２０は、連続リソースブロック（ＲＢ）の複数のバンドルにおいて基地局から送信され受信されたデータのデータ割当てサイズに基づいてバンドリング・サイズを決定するように、ここにおいて、各バンドルにおけるリソース・ブロックにおける少なくとも１つの基準信号は、共通のプリコーディング・マトリックスでプリコーディングされ、基地局から送信された１つ以上の基準信号（ＲＳ）および決定されたバンドリング・サイズに基づいて少なくとも１つのプリコーディングされたチャネルを推定するように、推定されプリコーディングされたチャネルを使用して受信されたバンドルを復号するように、構成され得る。
【００２５】
[0031]  図３は、ＬＴＥにおいてＦＤＤに関わる例示的なフレーム構造３００を示す。ダウンリンクおよびアップリンクの各々に関わる送信タイムラインは、無線フレームの複数のユニットに区分化され得る。各無線フレームは、所定の持続時間（例えば１０ミリ秒（ｍｓ））を有し得、０乃至９の指標で１０のサブフレームに区分化され得る。各サブフレームは、２つのスロットを含み得る。各無線フレームは、かくして、０乃至１９の指標で２０のスロットを含み得る。各スロットは、Ｌ個のシンボル期間、例えば、（図３に示されているように）通常のサイクリック・プレフィックスに関しては７つのシンボル期間を、または、拡張されたサイクリック・プレフィックスに関しては６つのシンボル期間を含み得る。各サブフレームにおける２Ｌシンボル期間は、０乃至２Ｌ−１の割当てられた指標であり得る。
【００２６】
[0032]  ＬＴＥでは、ｅＮＢは、ｅＮＢによってサポートされる各セルに関わる１．０８ＭＨｚのシステム帯域幅の中央で（in the center 1.08 MHz of the system bandwidth）、ダウンリンクにおいて、プライマリ同期信号（ＰＳＳ）およびセカンダリ同期信号（ＳＳＳ）を送信し得る。ＰＳＳおよびＳＳＳは、図３に示されているように、通常のサイクリック・プレフィックスで各無線フレームのサブフレーム０および５において、それぞれ、シンボル期間６および５において送信され得る。ＰＳＳおよびＳＳＳはまた、セル探索および獲得のためにＵＥによって使用され得る。ｅＮＢは、ｅＮＢによってサポートされる各セルに関わるシステム帯域幅にわたって、セル固有の基準信号（ＣＲＳ）を送信し得る。ＣＲＳは、各サブフレームのあるシンボル期間に送信され得、チャネル推定、チャネル品質測定、および／または他の機能を実施するためにＵＥによって使用され得る。ｅＮＢはまた、ある無線フレームのスロット１におけるシンボル期間０乃至３において物理ブロードキャスト・チャネル（ＰＢＣＨ）を送信し得る。ＰＢＣＨはいくつかのシステム情報を伝送し得る。ｅＮＢは、あるサブフレームにおける物理下り共有チャネル（ＰＤＳＣＨ）においてシステム情報ブロック（ＳＩＢ）のような、他のシステム情報を送信し得る。ｅＮＢは、サブフレームの第１のＢシンボル期間における物理下り制御チャネル（ＰＤＣＣＨ）において制御情報／データを送信し得、ここでは、Ｂは、各サブフレームに関して設定可能であり得る。ｅＮＢは、各サブフレームの残りのシンボル期間におけるＰＤＳＣＨにおいてトラヒック・データおよび／または他のデータを送信し得る。
【００２７】
[0033]  図４は、通常のサイクリック・プレフィックスを有する２つの例示的なサブフレーム・フォーマット４１０および４２０を示す。利用可能な時間周波数リソースは、リソース・ブロックに区分化され得る。各リソース・ブロックは、１つのスロットにおいて１２のサブキャリアをカバーし得、複数のリソース要素を含み得る。各リソース要素は、１つのシンボル期間において１つのサブキャリアをカバーし得、１つの変調シンボルを送るために使用され得、それは、実数値または複素数値（real or complex value）であり得る。
【００２８】
[0034]  サブフレーム・フォーマット４１０は、２つのアンテナが装備されたｅＮＢのために使用され得る。ＣＲＳは、シンボル期間０、４、７、および１１においてアンテナ０および１から送信され得る。基準信号は、送信機および受信機によって先験的に（a priori）知られている信号であり、パイロットとも称され得る。ＣＲＳは、例えばセル・アイデンティティ（ＩＤ）に基づいて生成された、セルに対して固有の基準信号である。図４では、ラベルＲａを有する所定のリソース要素に関して、変調シンボル（例えば、ＣＲＳ）は、アンテナａからそのリソース要素において送信され得、非変調シンボルは、他のアンテナからそのリソース要素において送信され得る。サブフレーム・フォーマット４２０は、４つのアンテナが装備されているｅＮＢのために使用され得る。ＣＲＳは、シンボル期間０、４、７および１１においてアンテナ０および１から、シンボル期間１および８においてアンテナ２および３から、送信され得る。両サブフレーム・フォーマット４１０および４２０に関して、ＣＲＳは、等間隔で離間されたサブキャリアにおいて送信され得、それは、セルＩＤに基づいて決定され得、例えば、ＣＲＳは、セルＩＤが奇数である場合、奇数のサブキャリアにおいて送信され得る。ＣＲＳは、それらのセルＩＤに応じて、同じまたは異なるサブキャリアにおいて送信され得る。両サブフレーム・フォーマット４１０および４２０に関して、ＣＲＳのために使用されないリソース要素は、データ（例えば、トラヒック・データ、制御データ、および／または他のデータ）を送信するために使用され得る。
【００２９】
[0035]  ＬＴＥにおけるＰＢＣＨ、ＣＲＳ、ＳＳＳおよびＰＳＳは、「Evolved Universal Terrestrial Radio Access (E-UTRA); Physical Channels and Modulation」と題する３ＧＰＰ ＴＳ ３６．２１１で説明されており、それは、公的に入手可能である。
【００３０】
[0036]  インターレース構造が、ＬＴＥにおけるＦＤＤに関してアップリンクおよびダウンリンクの各々のために使用され得る。例えば、０乃至Ｑ−１の指標を有するＱインターレースが定義され得、ここでは、Ｑは４、６、８、１０またはその他の値と同等であり得る。各インターレースは、Ｑ個のサブフレームによって離間されている複数のサブフレームを含み得る。特に、インターレースｑは、サブフレームｑ、ｑ＋Ｑ、ｑ＋２Ｑ、などを含み得、ここでは、ｑ∈｛０，…，Ｑ−１｝である。
【００３１】
[0037]  ワイヤレス・ネットワークは、ダウンリンクおよびアップリンクにおけるデータ送信に関わるハイブリッド自動再送要求（ＨＡＲＱ：hybrid automatic retransmission request）をサポートし得る。ＨＡＲＱに関して、送信機（例えばｅＮＢ）は、パケットが受信機（例えばＵＥ）によって正確に復号されるまで、または、いくつかの他の終端条件が経験されるまで、パケットの１つ以上の送信を送り得る。同期ＨＡＲＱに関して、パケットの全ての送信が、単一のインターレースの複数のサブフレームにおいて送られ得る。非同期ＨＡＲＱに関して、パケットの各送信が、任意のサブフレームにおいて送られ得る。
【００３２】
[0038]  ＵＥは、複数のｅＮＢのカバレッジ内に位置され得る。これらのｅＮＢのうちの１つが、ＵＥをサーブするために選択され得る。サービングｅＮＢは、受信された信号強度、受信された信号品質、経路損失（pathloss）などのようなさまざまな基準に基づいて選択され得る。受信された信号品質は、信号対干渉雑音比（ＳＩＮＲ：signal-to-noise-and-interference ratio）、または基準信号受信品質（ＲＳＲＱ）、またはその他の測定基準によって数値化され得る。ＵＥは、ＵＥが１つ以上の干渉ｅＮＢから強い干渉を観測し得る支配的干渉シナリオ（dominant interference scenario）において動作し得る。
【００３３】
マシン型通信（ＭＴＣ）
[0039]  マシン型通信（ＭＴＣ）に関わるＬＴＥの使用が、ＬＴＥ研究グループによって検討されている。従来のＬＴＥ設計の主な焦点は、スペクトル効率の改良、ユビキタス・カバレッジ（ubiquitous coverage）、高度なクオリティ・オブ・サービス（ＱｏＳ）サポート、などに合せられている。これは、典型的に、最先端のスマートフォン、タブレットなどのような、高級なデバイスをもたらす。しかしながら、低コスト、低利の（例えば、１００ｋｂｐｓ未満の）デバイスも、同様にサポートされるべきである。いくつかの市場予測（market projection）は、低コストのデバイスの数が今日のセル方式の電話の数を大きく超え得ることを示している。
【００３４】
[0040]  ＬＴＥに基づく低コストのＭＴＣ（マシン型通信）ＵＥの支給に関わる研究事項（study item）は、ＬＴＥ Ｒｅｌ−１１において行われている。特に、下記の項目が研究中である。最大帯域幅の低減、単一受信ＲＦチェーン（single receive RF chain）の使用、ピーク速度の低減、送信パワーの低減、および半二重オペレーション（half duplex operation）。
【００３５】
[0041]  低コスト・デバイスの所望のデータ・レートは１００ｋｂｐｓ未満であるので、デバイスのコストを低減するために狭い帯域幅においてのみデバイスを動作させることが可能である。
【００３６】
[0042]  ２つの動作シナリオが検討されている。１つの動作シナリオは、ＭＴＣ動作をサポートするために、いくつかの狭い帯域幅、例えば、１．２５ＭＨｚを確保することである。このシナリオでは動作に関して基準の変更が不要である。もう１つの動作シナリオは、広い帯域幅において低コストＵＥを動作することである。このシナリオでは低コストＵＥは標準のＵＥと共存し得る。
【００３７】
[0043]  広い帯域幅における低コストＵＥに関して、２つの可能な動作がある。第１の動作では、低コストＵＥは、例えば２０ＭＨｚ以下の、他のＵＥと同じ広さの帯域幅において動作し得る。これを行うことによる基準インパクト（standard impact）はないが、ＵＥのバッテリー・パワー消費およびコストを低減するためには有用ではない。第２の動作では、低コストＵＥは、他のＵＥによって使用されるより小さい帯域幅で動作し得る。
【００３８】
[0044]  ＬＴＥ Ｒｅｌ−８／９／１０では、物理下り制御チャネル（ＰＤＣＣＨ）は、１つのサブフレームにおける第１のいくつかのシンボルに位置される。ＰＤＣＣＨは、全システム帯域幅にわたって分配される。ＰＤＣＣＨは、ＰＤＳＣＨで時分割多重化される（TDMed）。有効に、サブフレームは、制御領域およびデータ領域に分割される。
【００３９】
[0045]  Ｒｅｌ−１１では、新しい制御（例えば、拡張されたＰＤＣＣＨ（ｅＰＤＣＣＨ））が導入されるだろう。レガシーＰＤＣＣＨ（legacy ＰＤＣＣＨ）、それは１つのサブフレームにおいて第１のいくつかのシンボルを占有するものである、とは異なって、ｅＰＤＣＣＨは、物理下り共有チャネル（ＰＤＳＣＨ）と同様に、データ領域を占有するだろう。ｅＰＤＣＣＨを使用することは、制御チャネル容量を増大させ、周波数領域（frequency-domain）セル間干渉調整（ＩＣＩＣ：inter-cell interference coordination）をサポートし、制御チャネル・リソースの空間的再利用を改良し、ビームフォーミングおよび／またはダイバーシティをサポートし、新しいキャリア・タイプにおいて、およびマルチメディア・ブロードキャスト単一周波数ネットワーク（ＭＢＳＦＮ：multimedia broadcast single frequency network）サブフレームにおいて動作し、ｅＰＤＣＣＨを受信する新しいＵＥがレガシーＵＥと同じキャリアを使用することを可能にする。
【００４０】
[0046]  ＭＴＣに関して、２０ｄＢのカバレッジ・エンハンスメント（例えば、ＭＴＣデバイスからの信号は、その信号が非ＭＴＣデバイスからの信号より２０ｄＢ弱いときに、ｅＮＢによって受信されるべきである）は、非ＭＴＣデバイスと比較すると、ＬＴＥ研究グループによって検討されている。２０ｄＢのカバレッジ・エンハンスメントは、ＭＴＣデバイスからの信号が、非ＭＴＣデバイスからの信号より遠く離れた場所から受信されることを可能にする。制御チャネル（例えば、ＰＤＣＣＨおよびｅＰＤＣＣＨ）のみならずＰＤＳＣＨに関して、ロングＴＴＩバンドリング（long TTI bundling）が、ダウンリンク・カバレッジ・エンハンスメントを獲得するために検討されている。また、狭帯域オペレーションは、このオペレーションをサポートするために提案されている。現在、数百ミリ秒のバンドリング・サイズ（bundling size of hundreds of milliseconds）が、制御チャネルに関して検討されており、それは、バンドルされていない通信と比較すると、ＵＥがどのように、およびいつ、ユーザ・データを送信または受信すべきであるかを示す制御（例えばスケジューリング）情報をＵＥが受信するために、数百ミリ秒間にわたってＵＥが積極的に受信し続けること（およびＢＳが積極的に送信し続けること）が必要であるために、非常に効率が悪い。
【００４１】
[0047]  ＬＴＥ Ｒｅｌ−８／９／１０では、送信時間間隔（ＴＴＩ）（または、サブフレーム）バンドリングが、ＵＥ基盤（ＵＥ basis）ごとに設定されることができる。サブフレーム・バンドリング・オペレーション（subframe bundling operation）は、上位層によって提供されるパラメータttiBundlingによって設定される。パラメータttiBundlingは、「Evolved Universal Terrestrial Radio Access (E-UTRA); Radio Resource Control (RRC)」と題する、３ＧＰＰ ＴＳ ３６．３３１において説明されているブール・パラメータ（例えば、真／偽）であり、それは公的に入手可能である。
【００４２】
[0048]  ＬＴＥ Ｒｅｌ−８／９／１０では、ＴＴＩバンドリングがＵＥに関して設定されている場合、サブフレーム・バンドリング・オペレーションは、ＵＬ−ＳＣＨにのみ適用される。サブフレーム・バンドリングは、他のＵＬ信号／トラヒック（例えばアップリンク制御情報）には適用されない。バンドリング・サイズは、４（個のサブフレーム）で固定される。すなわち、同一のデータを搬送するがおそらく異なって符号化された複数のＰＵＳＣＨは、４個の連続したサブフレームにおけるＴＴＩバンドリングに関して設定されたＵＥによって送信されるだろう。同じハイブリッドＡＲＱプロセス・ナンバーは、バンドルされたサブフレームの各々において使用される。リソース割当てサイズは、３個のリソース・ブロック（ＲＢｓ）まで制限される。変調オーダ（modulation order）は、２（４位相偏移変調（ＱＰＳＫ：quadrature phase shift keying））に設定される。バンドルは、単一のリソースとして扱われ、例えば、単一のグラントおよび単一のハイブリッドＡＲＱ肯定応答（acknowledgement）は、各バンドルのために使用される。バンドルを受信するｅＮｏｄｅＢは、搬送されたデータを決定するために、および、バンドルのための肯定応答または否定応答（ＡＣＫ／ＮＡＫ）を送るために、４個のサブフレームにおいて受信された信号を使用し得る。ＴＴＩバンドリングは、主に低利のトラヒックのためのものである。
【００４３】
[0049]  ボイス・オーバー・インターネット・プロトコル（ＶｏＩＰ）パケットが、ロー・アップリンク・リンク・バケット（low uplink link budget）のために単一のＴＴＩにおいて送信されることができない場合、レイヤー２（Ｌ２）区分化が適用され得る。例えば、ＶｏＩＰパケットが、４個の連続したＴＴＩにおいて送信される４個の無線リンク制御（ＲＬＣ）プロトコル・データ・ユニット（ＰＤＵ）において区分化され得、２−３個のＨＡＲＱ再送信は、十分なカバレッジを獲得することを目標とし得る（例えば、各ＰＤＵは、受信機が送信の全てを組合せてＰＤＵのコンテンツを決定するように２−３回再送信され得る）。
【００４４】
[0050]  このアプローチ、Ｌ２区分化は、いくつかの欠点を有し得る。例えば、各追加の区分が、１バイトのＲＬＣと、１バイトの媒体アクセス制御（ＭＡＣ）と、および３バイトのレイヤー１（Ｌ１）巡回冗長検査（ＣＲＣ：cyclic redundancy check）オーバーヘッド、例えば、３３バイトのＲＬＣサービス・データ・ユニット（ＳＤＵ）サイズと仮定すれば１５％のオーバーヘッド、を導入する。このことは、４個の区分に関して、４５％の、追加の組み合されたＬ１およびＬ２オーバーヘッドがある（例えば、各３３バイトのＲＬＣ ＳＤＵから１５バイトが区分化オペレーションによって導入されるオーバーヘッドのために使用される）、ということを意味する。すべての区分に関わるＨＡＲＱ送信／再送信は、ＰＤＣＣＨにおいて複数のグラントを必要とし、おそらく相当のＰＤＣＣＨリソースを消費し得る。各ＨＡＲＱ送信または再送信は、物理ＨＡＲＱインジケータ・チャネル（ＰＨＩＣＨ）においてＨＡＲＱフィードバックによって後続される。１０−３のＮＡＫ−ＡＣＫエラー率（例えば、１０００のＮＡＣＫのうち１が、ＡＣＫとして誤って解釈される）と仮定すると、多数のＨＡＲＱフィードバック信号は、高いパケット損失の可能性をもたらし得る。送信機は、その送信機がＡＣＫを誤って受信したパケットを再送信しないので、複数のパケットが損失され得る。例えば、１２個のＨＡＲＱフィードバック信号が送られる場合、ＨＡＲＱフィードバック・エラー率が、約１．２＊１０−２であり得る。１０−２より大きいパケット損失率は、ＶｏＩＰトラヒックに対して受け入れられないと見なされる。
【００４５】
[0051]  ＴＴＩバンドルごとに単一のＰＨＩＣＨ信号および単一のアップリンク・グラントのみを使用することが、Ｌ２区分化より有利であり得る。また、Ｌ２区分化は必要とされないので、Ｌ１およびＬ２オーバーヘッドが低減され得る。
【００４６】
[0052]  ＬＴＥネットワークがカバレッジ拡張のために数百ミリ秒をバンドルする場合、ＭＴＣデバイスは、ロング・バンドリングで制御およびデータ復号の両方を実施しなければならない。例えば、ｅＮＢが２００ミリ秒のバンドルにおいて複数のＴＴＩをバンドルするように構成されたＭＴＣに送信し、そして、送信を受信する場合、ＭＴＣデバイスは、２００ミリ秒間にわたって送信された制御チャネル（例えばＰＤＣＣＨ）、および、少なくとも２００ミリ秒間にわたって制御チャネルによってスケジュールされたデータ・チャネルを復号しなければならない。
【００４７】
[0053]  制御チャネル・オーバーヘッドは、半永続スケジューリング（ＳＰＳ）によって低減されることができ、しかしながら、ＭＴＣ ＵＥがランダム・アクセス・チャネル（ＲＡＣＨ）手順を実施して初期の送信リソース割当て（例えば、ＳＰＳを開始する前の割当て）を受信する必要がある場合、ＭＴＣ ＵＥは、依然としてバンドルされたＰＤＣＣＨまたはｅＰＤＣＣＨを復号しなければならない。
【００４８】
[0054]  ＵＥがｅＮｏｄｅＢへのワイヤレス接続を有していない場合、それは、接続を確立するためにＲＡＣＨ手順を実施し得る。ＲＡＣＨ手順は、「Evolved Universal Terrestrial Radio Access (E-UTRA); Medium Access Control (MAC) protocol specification」と題する３ＧＰＰ ＴＳ ３６．３２１において説明されており、それは公的に入手可能である。ＲＡＣＨ手順の間に、ＵＥは、６４の可能なランダム・アクセス・プリアンブルまたはシーケンスから１つを選択し、ＲＡＣＨ手順のメッセージ１として物理ランダム・アクセス・チャネル（ＰＲＡＣＨ）においてシーケンスを送信する。ｅＮｏｄｅＢは、ＰＲＡＣＨを受信し、ＲＡＣＨ手順のメッセージ２としてアップリンク・グラントを含むＰＤＣＣＨにおけるシーケンスに言及するランダム・アクセス応答（ＲＡＲ）を送信し得る。ＵＥはｅＮｏｄｅＢからＰＤＣＣＨをモニタし、ＵＥのシーケンスに言及するＲＡＲを検出し得る。そしてＵＥは、アップリンク・グラントに基づいて送信し、ｅＮｏｄｅＢへの接続を確立し、ｅＮｏｄｅＢによってサーブされることができる。
【００４９】
例  カバレッジが制限されたマシン型通信（ＭＴＣ）に関わるコントロール・レス・オペレーション
[0055]  本開示のある観点にしたがえば、ＭＴＣデバイスは、ＲＡＣＨに関わるコントロール・レス・オペレーションを実施することができる。ＲＡＣＨに関わるコントロール・レス・オペレーションのための手順は、下記の通りであり得る。
【００５０】
[0056]  ＲＡＣＨ手順のメッセージ１（Ｍｓｇ１）に関して、ＭＴＣデバイスは、ＭＴＣデバイスがカバレッジ制限を有することを示すために、バンドルされた（例えば、複数のＴＴＩのバンドルに関して送信された）ＲＡＣＨシーケンスを選択する。ＭＴＣデバイスは、例えば、ＲＡＣＨシーケンスのテーブルを調べることによって、または、ｅＮｏｄｅＢからのシステム情報ブロック（ＳＩＢ）メッセージを受信することによって、どの（複数を含む）ＲＡＣＨシーケンスがカバレッジ制限を示すかを決定し得る。送信は、狭帯域、例えば、１ＲＢであり得る。Ｍｓｇ１のＲＢロケーションは、セルＩＤの関数であり得る。ＲＡＣＨシーケンスもまた、セルＩＤの関数であり得る。
【００５１】
[0057]  ＲＡＣＨ手順のメッセージ２（Ｍｓｇ２）に関して、ｅＮＢは、バンドルされた（例えば、複数のＴＴＩのバンドルに関して送信された）ＲＡＣＨ応答を送信し得る。ＲＡＣＨ応答は、ＰＤＳＣＨをスケジューリングするｅＰＤＣＣＨ／ＰＤＣＣＨの有無にかかわらず（例えばコントロール・レス・オペレーション）、バンドルされたＰＤＳＣＨにおいて送信され得る。バンドルされたＰＤＳＣＨ（例えば、Ｍｓｇ２）の複数のＲＢまたはＲＢは、ＲＡＣＨ Ｍｓｇ１ＲＢロケーション、ＲＡＣＨシーケンス、ＲＡＣＨ Ｍｓｇ１バンドル・サイズ、セルＩＤ、など、またはこれらの組合せに基づいて、選択されることができる。ＰＤＳＣＨをスケジューリングするｅＰＤＣＣＨ／ＰＤＣＣＨおよび／またはバンドルされたＰＤＳＣＨのサイズは、コントロール・レス・オペレーションを実施していない場合、ＲＡＣＨ Ｍｓｇ１バンドル・サイズに基づき得る。ＰＤＳＣＨ変調および符号化スキーム（ＭＣＳ）は、システム情報ブロック（ＳＩＢ）においてシグナリングされるか、事前に定義され得る。ＭＣＳはまた、例えば、スモール・セット（small set）に制限され得、この結果、ＭＴＣデバイスは、ＭＣＳを決定してＰＤＳＣＨを復号するために、ブラインド復号を実施し得る。Ｍｓｇ２は、ＲＡＣＨ手順のメッセージ３を送信するときに、ＵＥによって使用されるべきバンドル・サイズを明確に示し得る。
【００５２】
[0058]  ＲＡＣＨ手順のメッセージ３（Ｍｓｇ３）に関して、ＭＴＣデバイスは、Ｍｓｇ２からの割当て情報において特定された送信リソースを使用して、バンドルされたＰＵＳＣＨを送信し得る。
【００５３】
[0059]  ｅＮｏｄｅＢとＭＴＣデバイスとの間のさらなるメッセージが、使用される送信リソースを与える制御チャネル送信の有無に関わらず、ＰＤＳＣＨまたはＰＵＳＣＨにおいて送信され得、例えば、各ＰＤＳＣＨは、次のＰＤＳＣＨおよびＰＵＳＣＨのためのグラントを伝送し得るか、ＳＰＳが使用され得る。
【００５４】
[0060]  図５は、本開示のある観点にしたがった、例示的なコントロール・レス・ランダム・アクセス・チャネル（ＲＡＣＨ）オペレーション５００を示す。
【００５５】
[0061]  本開示のある観点にしたがえば、ｅＮＢ、例えば図１のｅＮＢ１１０a、が、周期的にＭＴＣデバイスに関わる同期信号またはチャネル５０２を送信し得る。例えば、ｅＮＢは、全ての他のフレームの間に（例えば、２０ｍｓに１回）、ＭＴＣデバイスに向けられた同期信号またはチャネルを送信し得る。ＭＴＣデバイスは、長いスリープ・サイクル５０６の後に５０４においてウェーク・アップし、ＭＴＣ同期信号またはｅＮＢからの他のダウンリンク（ＤＬ）送信を検出し得る。ＭＴＣデバイスは、ＭＴＣ_ＳＩＢ_ＬＩＴＥ５０８を受信し、システム・フレーム・ナンバー（ＳＦＮ）およびｅＮＢに関わる他の情報を決定し得る。ＭＴＣ_ＳＩＢ_ＬＩＴＥは、同期信号の後に固定の数のサブフレームを送信され得る。ＭＴＣデバイスは、ＭＴＣ_ＲＡＣＨ５１０（例えばＲＡＣＨ手順のＭｓｇ１）を送信することによってｅＮＢに接続するためのＲＡＣＨ手順を開始し得る。ｅＮＢは、ＭＴＣ_ＰＤＳＣＨまたはＭＴＣ_ＰＤＣＣＨ（例えば、ＲＡＣＨ手順のＭｓｇ２）５１２でＭＴＣ_ＲＡＣＨに応答し得る。
【００５６】
[0062]  本開示のある観点にしたがえば、ＲＡＣＨ手順を実施するときに、ＭＴＣデバイスは、検出されたＤＬ送信を送信したセルのセルＩＤに基づいて選択されたＲＡＣＨシーケンス(例えばＭｓｇ１)を送信し得る。ある観点にしたがえば、ＭＴＣデバイスは、検出されたＤＬ送信を送信したセルのセルＩＤに基づいて決定された送信リソース（例えばＲＢ）においてＲＡＣＨシーケンスを送信し得る。ＲＡＣＨ手順のＭｓｇ１に関して、ＭＴＣデバイスがカバレッジ制限されている（coverage limited）場合、ＭＴＣデバイスは、ＭＴＣデバイスがバンドルされた通信を使用することを要求していることを示すために選択されたＲＡＣＨシーケンスを送信し得る。Ｍｓｇ２に関して、ＭＴＣデバイスは、バンドルされたＰＤＳＣＨ送信に関してＭｓｇ１（例えば、Ｍｓｇ１が送られた後の３個のサブフレーム）に対応するＲＢを調べ得る。ＭＴＣデバイスがＰＤＳＣＨを受信して復号する場合、ＭＴＣは、Ｍｓｇ３を送信するためにＭＴＣデバイスによって使用されるべき送信リソース（例えばＲＢ）割当て情報を抽出する。Ｍｓｇ３に関して、ＭＴＣデバイスは、バンドルされたＰＵＳＣＨを送信し得る。セルがＭｓｇ３を受信する場合、セルはＭｓｇ４でＭＴＣデバイスに応答し得る。セルは、Ｍｓｇ４としてバンドルされたＰＤＳＣＨを送信し得る。Ｍｓｇ４では、ＭＴＣデバイスは、次の（例えば後続の）メッセージ（または複数のメッセージ）に関わる送信リソース割当て情報を有するバンドルされたＰＤＳＣＨ送信を受信し得る。
【００５７】
[0063]  本開示のある観点にしたがえば、同様の設計が、同様にＰＤＣＣＨ／ｅＰＤＣＣＨベースのランダム・アクセス応答（ＲＡＲ）にも適用されることができる。すなわち、ＲＡＲを伝送するＰＤＳＣＨをスケジュールするｅＰＤＣＣＨまたはＰＤＣＣＨの（複数を含む）復号候補またはロケーションは、（複数を含む）ＲＡＣＨ Ｍｓｇ１ＲＢ、シーケンス、ＲＡＣＨ Ｍｓｇ１バンドル・サイズ、セルＩＤ、など、またはそれらの組合せとリンクされることができる。
【００５８】
[0064]  図６は、本開示のある観点にしたがった、ユーザ機器（ＵＥ）によって実施され得る例としてのオペレーション６００を示す。オペレーションは、例えば、ＵＥ１２０ａによって実施され得る。６０２では、ＵＥは、バンドルされたランダム・アクセス・チャネル（ＲＡＣＨ）シーケンスを送信し得る。例えば、ＵＥ１２０ａは、ＵＥがＴＴＩバンドリングを使用して通信するように要求することを示すために選択されたプリアンブルを使用して、ＲＡＣＨシーケンスのＭｓｇ１を送信し得る。６０４では、ＵＥが、バンドル物理下り共有チャネル（ＰＤＳＣＨ）においてＲＡＣＨ応答を受信し得る。例えば、ＵＥ１２０ａは、１００のＴＴＩにわたってバンドルされたＰＤＳＣＨにおいてＲＡＣＨシーケンスのＭｓｇ２を受信し得る。
【００５９】
[0065]  図７は、本開示のある観点にしたがった、基地局（ＢＳ）によって実施され得る例としてのオペレーション７００を示す。オペレーション７００は、オペレーション６００に対して補完的であり得、例えば、ｅＮＢ１１０ａによって実施され得る。７０２では、ＢＳはＵＥからバンドルされたランダム・アクセス・チャネル（ＲＡＣＨ）を受信し得る。例えば、ｅＮＢ１１０ａは、ＵＥ１２０ａからのＴＴＩバンドリングを使用することの要求を示すＲＡＣＨシーケンスのＭｓｇ１を受信し得る。７０４では、ＢＳが、バンドル物理下り共有チャネル（ＰＤＳＣＨ）において前記ＵＥにＲＡＣＨ応答を送信し得る。例えば、ｅＮＢ１１０ａは、１００のＴＴＩにわたってバンドルされたＰＤＳＣＨにおいてＵＥ１２０ａにＲＡＣＨシーケンスのＭｓｇ２を送信し得る。
【００６０】
[0066]  さらに、用語「ｏｒ」は、排他的な「ｏｒ」よりむしろ包含的な「ｏｒ」を意味することを意図される。すなわち、別の方法で明記されない限り、または、コンテキストから明確でない限り、フレーズ「ＸはＡまたはＢを用いる」は、自然な包括的置換（natural inclusive permutation）のうちのいずれかを意味することを意図される。すなわち、フレーズ「ＸはＡまたはＢを用いる」は以下の例のうちのいずれかによって充足される。ＸはＡを用いる、ＸはＢを用いる、またはＸはＡおよびＢの両方を用いる。加えて、本願および添付の請求項に使用されているような冠詞「ａ」および「ａｎ」は、別の方法で明記されない限り、または、単数形に向けられるようにコンテキストから明確でない限り、「１つ以上の」と意味するように一般的に解釈されるべきである。ここで使用されているように、項目の「少なくとも１つの（at least one of）」リストに言及するフレーズは、単一のメンバーを含む、それらの項目の任意の組合せに言及する。例として、「少なくとも１つのａ、ｂ、またはｃ」は、ａ、ｂ、ｃ、ａ−ｂ、ａ−ｃ、ｂ−ｃ、およびａ−ｂ−ｃをカバーすることを意図される。
【００６１】
[0067]  上記の方法のさまざまなオペレーションは、対応する機能を実施することができる任意の適切な手段によって実施され得る。手段は、回路、特定用途向け集積回路（ＡＳＩＣ）、またはプロセッサを含むがそれに限定されない、さまざまなハードウェア、および／または（複数を含む）ソフトウェア／ファームウェア・コンポーネント、および／または（複数を含む）モジュールを含み得る。一般的に、図に示されている動作があるところに、それらの動作が、任意の適切な対応する同等のミーンズ・プラス・ファンクション・コンポーネント（counterpart means-plus-function component）によって実施され得る。
【００６２】
[0068]  本分野の当業者であれば、情報および信号が、さまざまな異なる技術および技法のいずれかを使用して示され得ることを理解するだろう。例えば、上記の説明にわたって参照され得るデータ、命令群、命令、情報、信号、ビット、シンボル、およびチップは、電圧、電流、電磁波、磁界または磁気粒子、光場または光学粒子、またはこれらの組合せによって示され得る。
【００６３】
[0069]  当業者は、さらに、ここでの本開示に関連して説明されるさまざまな例示的な論理ブロック、モジュール、回路、およびアルゴリズム・ステップが、電子ハードウェア、ソフトウェア／ファームウェア、またはこれらの組合せとして実装され得ることを、理解するだろう。ハードウェアおよびソフトウェア／ファームウェアのこの互換性を明確に示すために、さまざまな例示的なコンポーネント、ブロック、モジュール、回路、およびステップが、一般にこれらの機能性の観点で、上に説明されている。このような機能性がハードウェアとして実装されるか、またはソフトウェア／ファームウェアとして実装されるかは、システム全体に課せられた設計制限および特定のアプリケーションに依存する。精通した当業者は、各特定のアプリケーションのためにさまざまな方法で説明された機能性を実装し得るが、このような実装の決定は、本開示の範囲からの逸脱を招くとして解釈されるべきではない。
【００６４】
[0070]  ここでの本開示に関連して説明されるさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレー（ＦＰＧＡ）、または他のプログラマブル・ロジック・デバイス、離散ゲート、またはトランジスタ・ロジック、離散ハードウェア・コンポーネント、またはここに説明されている機能を実施するように設計されているこれらの任意の組合せによって、実施されまたは実装され得る。汎用プロセッサは、マイクロプロセッサであり得るが、別の方法でプロセッサは、任意の従来のプロセッサ、制御装置、マイクロコントローラ、またはステート・マシンであり得る。プロセッサはまた、複数のコンピューティング・デバイスの組合せ、例えば、ＤＳＰおよびマイクロプロセッサの組合せ、複数のマイクロプロセッサ、ＤＳＰコアと連結されている１つ以上のマイクロプロセッサ、またはその他任意のこのような構成として、実装され得る。
【００６５】
[0071]  ここでの本開示に関連して説明されているアルゴリズムまたは方法のステップは、直接的にハードウェアにおいて、プロセッサによって実行されるソフトウェア／ファームウェア・モジュールにおいて、または、これらの組合せにおいて、具現化され得る。ソフトウェア／ファームウェア・モジュールは、ＲＡＭメモリ、フラッシュ・メモリ、ＲＯＭメモリ、ＥＰＲＯＭメモリ、ＥＥＰＲＯＭ（登録商標）メモリ、相変化メモリ（phase change memory）、レジスタ、ハード・ディスク、リムーバブル・ディスク、ＣＤ-ＲＯＭ、または本分野で知られているその他任意の形態の記憶媒体において存在し得る。例示的な記憶媒体は、プロセッサが記憶媒体から情報を読取り、記憶媒体に情報を書込むことができるように、プロセッサに接続されている。別の方法では、記憶媒体は、プロセッサに不可欠であり得る。プロセッサおよび記憶媒体は、ＡＳＩＣにおいて存在し得る。ＡＳＩＣは、ユーザ端末において存在し得る。別の方法では、プロセッサおよび記憶媒体は、ユーザ端末において離散コンポーネントとして存在し得る。
【００６６】
[0072]  １つ以上の例示的な設計では、説明されている機能が、ハードウェア、ソフトウェア／ファームウェア、またはこれらの組合せにおいて実装され得る。ソフトウェア／ファームウェアにおいて実装される場合、複数の機能が、コンピュータ可読媒体において１つ以上の命令またはコードとして、記憶され得るか、これを介して送信され得る。コンピュータ可読媒体は、１つの場所から他の場所へのコンピュータ・プログラムの伝送を容易にする任意の媒体を含む、通信媒体およびコンピュータ記憶媒体の両方を含む。記憶媒体は、汎用の、または特殊用途のコンピュータによってアクセスされることができる任意の使用可能な媒体であり得る。限定ではなく例の目的で、このようなコンピュータ可読媒体は、ＲＡＭ、ＲＯＭ、ＥＥＰＲＯＭ、ＣＤ／ＤＶＤ、または他の光ディスク記憶装置、磁気ディスク記憶装置、または他の磁気記憶デバイス、または、命令またはデータ構造の形態で所望のプログラム・コード手段を伝送または記憶するために使用されることができ、汎用のまたは特殊用途のコンピュータ、または汎用のまたは特殊用途のプロセッサによってアクセスされることができるその他任意の媒体を備えることができる。また、任意の接続が、コンピュータ可読媒体と適切に称される。例えば、ソフトウェア／ファームウェアが、ウェブサイト、サーバ、または同軸ケーブル、光ファイバー・ケーブル、ツイスト・ペア、デジタル加入者回線（ＤＳＬ）、または、赤外線の、無線の、およびマイクロ波のようなワイヤレス技術を使用して他の遠隔ソースから送信される場合、そのとき同軸ケーブル、光ファイバー・ケーブル、ツイスト・ペア、ＤＳＬ、または、赤外線の、無線の、およびマイクロ波のようなワイヤレス技術は、媒体の定義に含まれる。ここで使用されているようなディスク（disk）およびディスク（disc）は、コンパクト・ディスク（ＣＤ)、レーザ・ディスク、光ディスク、デジタル多用途ディスク（ＤＶＤ)、フロッピー（登録商標）・ディスク、およびブルーレイ・ディスク（登録商標）を含み、ディスク（disk）は通例磁気的にデータを再生し、これに対してディスク（disc）は、レーザを用いて光学的にデータを再生する。上記の組合せはまた、コンピュータ可読媒体の範囲内に含まれるべきである。
【００６７】
[0073]  本開示の前述の説明は、当業者の誰もが本開示を使用および生成することを可能にするために、提供されている。本開示に対するさまざまな変更は、当業者には容易に理解されるものであり、ここに定義される一般的な原則は、本開示の範囲または精神を逸脱することなく、他の変形にも適用され得る。かくして、本開示は、ここに説明されている設計および例に制限されることは意図されておらず、しかし、ここに開示される新規の特徴および原理に一致する最も広い範囲が与えられるべきである。
以下に、本願出願の当初の特許請求の範囲に記載された発明を付記する。
［Ｃ１］
ユーザ機器（ＵＥ）によってランダム・アクセス・チャネル（ＲＡＣＨ）手順を実施するための方法であって、
バンドルされた（bundled）ＲＡＣＨシーケンスを送信することと、
バンドルされた物理下り共有チャネル（ＰＤＳＣＨ）においてＲＡＣＨ応答を受信することと、を備える方法。
［Ｃ２］
前記受信されバンドルされたＰＤＳＣＨに基づいてバンドルされた物理上り共有チャネル（ＰＵＳＣＨ）を送信することをさらに備える、Ｃ１に記載の方法。
［Ｃ３］
前記バンドルされたＰＵＳＣＨのサイズは前記受信されバンドルされたＰＤＳＣＨにおいてシグナリングされる、Ｃ２に記載の方法。
［Ｃ４］
前記バンドルされたＲＡＣＨシーケンスは前記ＵＥのカバレッジ制限を示す、Ｃ１に記載の方法。
［Ｃ５］
前記バンドルされたＲＡＣＨシーケンスは少なくとも１つのリソース・ブロック（ＲＢ）を備える狭帯域送信として送信され、それのロケーションはセルＩＤの関数である、Ｃ１に記載の方法。
［Ｃ６］
前記バンドルされたＲＡＣＨシーケンスはセルＩＤの関数である、Ｃ１に記載の方法。
［Ｃ７］
前記バンドルされたＰＤＳＣＨの複数のリソース・ブロック（ＲＢｓ）のロケーションは、前記ＲＡＣＨシーケンスのＲＢのロケーション、前記ＲＡＣＨシーケンス自体、前記バンドルされたＲＡＣＨシーケンスのサイズ、またはセルＩＤ、のうちの少なくとも１つにリンクされる、Ｃ１に記載の方法。
［Ｃ８］
前記バンドルされたＰＤＳＣＨのサイズは前記バンドルされたＲＡＣＨシーケンスのサイズに基づく、Ｃ１に記載の方法。
［Ｃ９］
バンドルされた物理下り制御チャネル（ＰＤＣＣＨ）または拡張された(enhanced)ＰＤＣＣＨ（ｅＰＤＣＣＨ）を受信することをさらに備え、ここにおいて、前記バンドルされたＰＤＣＣＨまたはｅＰＤＣＣＨは前記バンドルされたＰＤＳＣＨをスケジュールし、前記バンドルされたＰＤＣＣＨまたはｅＰＤＣＣＨのサイズは前記バンドルされたＲＡＣＨシーケンスのサイズに基づく、Ｃ１に記載の方法。
［Ｃ１０］
前記バンドルされたＰＤＳＣＨの変調および符号化スキーム（ＭＣＳ）はシステム情報ブロック（ＳＩＢ）においてシグナリングされる、Ｃ１に記載の方法。
［Ｃ１１］
前記バンドルされたＰＤＳＣＨは一組のＭＣＳから選択された変調および符号化スキーム（ＭＣＳ）を使用して送信され、前記ＵＥはブラインド復号によって前記ＰＤＳＣＨを検出する、Ｃ１に記載の方法。
［Ｃ１２］
同期信号を受信することと、
前記同期信号に基づいて前記ＲＡＣＨ手順を実施するようにウェーク・アップすることと、をさらに備える、Ｃ１に記載の方法。
［Ｃ１３］
１つ以上の後続メッセージに関わる割当てを示す第２のバンドルされたＰＤＳＣＨを受信することをさらに備える、Ｃ１に記載の方法。
［Ｃ１４］
基地局（ＢＳ）によってランダム・アクセス・チャネル（ＲＡＣＨ）手順を実施するための方法であって、
ユーザ機器（ＵＥ）からバンドルされたＲＡＣＨシーケンスを受信することと、
バンドルされた物理下り共有チャネル（ＰＤＳＣＨ）において前記ＵＥにＲＡＣＨ応答を送信することと、を備える方法。
［Ｃ１５］
前記バンドルされたＰＤＳＣＨに基づいて、前記ＵＥからバンドルされた物理上り共用チャネル（ＰＵＳＣＨ）を受信することをさらに備える、Ｃ１４に記載の方法。
［Ｃ１６］
前記バンドルされたＰＵＳＣＨのサイズは前記バンドルされたＰＤＳＣＨにおいてシグナリングされる、Ｃ１５に記載の方法。
［Ｃ１７］
前記バンドルされたＲＡＣＨシーケンスは前記ＵＥのカバレッジ制限を示す、Ｃ１４に記載の方法。
［Ｃ１８］
前記バンドルされたＲＡＣＨシーケンスは少なくとも１つのリソースブロック（ＲＢ）を備える狭帯域送信として受信され、それのロケーションはセルＩＤの関数である、Ｃ１４に記載の方法。
［Ｃ１９］
前記バンドルされたＲＡＣＨシーケンスはセルＩＤの関数である、Ｃ１４に記載の方法。
［Ｃ２０］
前記バンドルされたＰＤＳＣＨの複数のリソース・ブロック（ＲＢｓ）のロケーションは、前記ＲＡＣＨシーケンスのＲＢのロケーション、前記ＲＡＣＨシーケンス自体、前記バンドルされたＲＡＣＨシーケンスのサイズ、またはセルＩＤ、のうちの少なくとも１つにリンクされる、Ｃ１４に記載の方法。
［Ｃ２１］
前記バンドルされたＰＤＳＣＨのサイズは前記バンドルされたＲＡＣＨシーケンスのサイズに基づく、Ｃ１４に記載の方法。
［Ｃ２２］
バンドルされた物理下り制御チャネル（ＰＤＣＣＨ）または拡張されたＰＤＣＣＨ（ｅＰＤＣＣＨ）を送信することをさらに備え、ここにおいて、前記バンドルされたＰＤＣＣＨまたはｅＰＤＣＣＨは前記バンドルされたＰＤＳＣＨをスケジュールし、前記バンドルされたＰＤＣＣＨまたはｅＰＤＣＣＨのサイズは前記バンドルされたＲＡＣＨシーケンスのサイズに基づく、Ｃ１４に記載の方法。
［Ｃ２３］
前記バンドルされたＰＤＳＣＨの変調および符号化スキーム（ＭＣＳ）はシステム情報ブロック（ＳＩＢ）においてシグナリングされる、Ｃ１４に記載の方法。
［Ｃ２４］
前記バンドルされたＰＤＳＣＨは一組のＭＣＳから選択された変調および符号化スキーム（ＭＣＳ）を使用して送信され、前記ＵＥはブラインド復号によって前記ＰＤＳＣＨを検出する、Ｃ１４に記載の方法。
［Ｃ２５］
同期信号を送信することをさらに備え、ここにおいて、前記ＵＥは前記同期信号に基づいて前記ＲＡＣＨ手順を実施するようにウェーク・アップする、Ｃ１４に記載の方法。
［Ｃ２６］
１つ以上の後続メッセージに関わる割当てを示す第２のバンドルされたＰＤＳＣＨを送信することをさらに備える、Ｃ１４に記載の方法。
［Ｃ２７］
ユーザ機器（ＵＥ）によってランダム・アクセス・チャネル（ＲＡＣＨ）手順を実施するための装置であって、
バンドルされたＲＡＣＨシーケンスを送信するための手段と、
バンドルされた物理下り共有チャネル（ＰＤＳＣＨ）においてＲＡＣＨ応答を受信するための手段と、を備える装置。
［Ｃ２８］
基地局（ＢＳ）によってランダム・アクセス・チャネル（ＲＡＣＨ）手順を実施するための装置であって、
ユーザ機器（ＵＥ）からバンドルされたＲＡＣＨシーケンスを受信するための手段と、
バンドルされた物理下り共有チャネル（ＰＤＳＣＨ）において前記ＵＥにＲＡＣＨ応答を送信するための手段と、を備える装置。
【図１】
0006437526.tif 000002
【図２】
0006437526.tif 000003
【図３】
0006437526.tif 000004
【図４】
0006437526.tif 000005
【図５】
0006437526.tif 000006
【図６】
0006437526.tif 000007
【図７】
0006437526.tif 000008